(57)【要約】【課題】地下街及び地下鉄道網の出入口に敷設されている浸水防止装置は、手作業による止水板の積み重で出来る防護壁や機械と電気的メカニズムを必要としたももあるが、構成が複雑で迅速性に欠ける。学識者の指摘では、カソリーン台風級豪雨や東日本大震災並みの地震などが発生した場合、河川の堤防の決壊が予想されその勢いのある氾濫水を阻止することは困難としている。これらの不測の事態にどのように対応できるかが大きな課題である。【解決手段】本発明は、これらの浸水被害の危機対応策として、建物の地下空間への出入口や洪水被害が予測される住宅地や工業団地、港湾等に、水の浮力を利用し防護壁本体を地下の収納函より浮上させ、事前に浸水防護体制の状態を最小工数の操作にて保持し、突発的な停電などにも稼働が可能な経済的かつ能率的にも効果が発揮できる地下設置水力浮上型防護壁の止水システムとして提供いたします。【選択図】図３
2014066123.tif 000002
【特許請求の範囲】
【請求項１】
地下街や地下鉄道網等開口部出入口への集中豪雨や洪水等の氾濫水を阻止する為のもので、水の注入操作による水の浮力を利用し防護壁本体を地下に設置された収納函から設定された高さまで浮上させ、事前に浸水防護体制を備える止水システムであり、洪水等の終息に至っては、収納函の残留水を排水口よりポンプ等により吸水処置を行い初期の状態の浸水防護体制を備える地下設置水力浮上型防護壁。
【請求項２】
防護壁本体は、金属類及び軽量コンクリートと合成樹脂中空ケースとを複合化させたもので、軽量であると共に耐久性を維持し、高さや横方向においても連結材にて調整が自在で、地下街や地下鉄道網等開口部出入口だけでなく浸水が予測される住宅地や工業団地、港湾等にも設置可能な請求項１に記載の地下設置水力浮上型防護壁。
【請求項３】
施工時やメンテナンスにおいて、地下設置の収納函からの昇降作業をおこなうさい防護壁本体の金属と合成樹脂中空ケースの複合部分の金属側にワイヤーを通す挿入口があり、これを利用し重機械類を使うことなく手作業で施工できる請求項１及び請求項２に記載の地下設置水力浮上型防護壁。
【発明の詳細な説明】
【技術分野】
【０００１】  本発明の地下設置水力浮上型防護壁は、集中豪雨や洪水等の緊急時に地下街や地下鉄道網開口部出入口及び住宅地や工業団地、港湾等での津波や大潮による浸水被害が予測されるエーリアでの浸水を阻止する為のもので、地下に設置している収納函から防護壁本体を水の浮力を利用し浮上させ、事前に数分で浸水防護体制を備える緊急の危機管理型の止水システムに関するものであり、地震や火災など不測の事態にも電力を使用することなく稼動できるものである。
【背景技術】
【０００２】  現況での地下鉄の開口部出入口などで、地下鉄の職員によっての手作業による止水板などでの浸水防護装備や一部自動操作よる機械的電気的メカニズムを必要とした装備もあるが、緊急の対応には数多くの人員投入や設備投資などが必要であり、速やかに防護体制を備えることは困難と思われる。
【先行技術文献】
【特許文献】
【０００３】
【特許文献１】  特開２００３−１７６６７０
【０００４】
【特許文献２】  特開２００４−４４２１８
【発明の概要】
【発明が解決しようとする課題】
【０００５】  また本発明と類似した地下設置型の浸水防護壁があるが（例えば文献１と文献２）等で、文献１は緊急の非常事態の最中に洪水などの水を路面の給排水口より注入した水を使用するのでガレキや泥水等などでの必然的故障の起こりやすいリスクがあり、文献２は、装備をガス等の危険物を地下等に設置する為地震や火災等でのニ次災害のリスクがある。いずれも緊急の危機対応策として不十分で浸水防護体制の備えも複雑であり、また常時でのメンテナンスが大変で経費もかかり、余裕ある装備体制とはいえない。
【課題を解決するための手段】
【０００６】  本発明の地下設置水力浮上型防護壁は、猛烈な勢いで迫ってくる氾濫水を、如何に速やかに最小工数でより確実に浸水阻止を図れるかを課題とし、浸水防護対策のハード面を柱として発案した緊急の危機管理型止水システムとして目指したものであり、洪水や集中豪雨などの浸水が予測されるあらゆるエーリア等の地下に装備するものである。【０００７】  地下街や地下鉄道網の開口部出入口及び郊外の住宅地や工業団地、港湾等にフェンス状に装備し、非常時には、事前に防護壁本体を上昇させる浸水防護体制を備え、常時は地下に収納し、緩衝材にて雨水や埃が混入しない様に設計しており、メンテナンスは定期的に実施すれば良く、システム等に付いての停電や降雨等による常時の点検は不要とし年間経費をも節減できる。
【発明の効果】
【０００８】  地下設置水力浮上型防護壁Ａは、氾濫水等を、水注入管３よりあらゆる水２０を利用し水による浮力によって地下の収納函２から防護壁本体１を設定された位置まで速やかに移動させ、事前に浸水防護体制を遂行し阻止できるので、組織化された責任者の指揮のもとに実行されれば、地下街や地下鉄道網の多い都市部の開口部出入口だけでなく、工業団地や住宅団地、港湾等にも設置することが可能である。また構造がシンプルなので操作しやすく、設備投資や年間経費などあらゆる部門で削減できその効果を発揮することができる。
【図面の簡単な説明】
【０００９】
【図１】  地下設置水力浮上型防護壁の側面図
【図２】  地下設置水力浮上型防護壁の断面図で図１のＡ−Ａ
【図３】  建物開口部前の地下設置水力浮上型防護壁の防護壁本体１浮上図
【図４】  防護壁本体１の小口部と連結部等の断面図図１のＢ−Ｂ
【図５】  防護壁本体１の高さ方向の連結部断面図
【図６】  防護壁本体１の横方向小口部断面見下ろし図
【図７】  防護壁本体１の横方向連結部断面見下ろし図
【図８】  補強金具チェーン屋内側納り図
【図９】  補強金具チェーン屋外側納り図
【図１０】  地下設置水力浮上型防護壁と建物開口部側との小口納り図図６のＣ−Ｃ
【発明を実施するための形態】
【００１０】  本発明の地下設置水力浮上型防護壁は、図２の中のＡであり、防護壁本体１とそれを収納する収納函２と防護壁本体１を浮上させる為の水２０を注入する水注入管３で構成されている。地下設置水力浮上型防護壁Ａは、工場で一式ユニット化され土木や敷設工事が完了した時点で、一式施工現場に搬入し数時間で施工や稼動テスト等を終了することがでる。以下発明の実施形態を図１〜１０に基づいて説明します。
【００１１】  図１は、地下設置水力浮上型防護壁Ａを建物の開口部地下出入口前の地下に設置した側面図である。
図２は、地下設置水力浮上型防護壁Ａの縦断面図図１のＡ−Ａで建物の地下空間出入口前の地下に設置している状態を示したものであり本発明の基礎となるものでその実施の形態について図３以下で説明する。
【００１２】  図３は、地下設置水力浮上型防護壁Ａを建物の開口部地下出入口前に設置したもので、浸水防護体制を遂行した状態の縦断面図であり、防護壁本体１（４と５の複合体）を地下の収納函２から水注入管３より水２０の注入による浮力によって、設定された位置まで浮上させ、建物の開口部出入口を覆い予測される氾濫水の侵入を防せごうと装備している状態をしめしている。
【００１３】  図４以下は、それぞれの機能と取り付け位置等について説明します。
【００１４】  図６は、防護壁本体１の小口部６で上蓋４を取り外した断面見下ろし図で左右に位置し図１０の詳細図でしめす漏水を遮断する為の小口漏水防止シート１４の取り付け位置をしめしている。
【００１５】  図７は、防護壁本体１の上蓋４を取り外した部分で、横方向の長さが必要な時の合成樹脂中空ケース５と５の連結部分をしめし、その隙間からの侵入水を遮断する為の連結部漏水侵入止シート１３の位置をしめしたものであり
【００１６】  また防護壁本体１を洪水等の水の圧力や地下からの風の吹き上げに対する補強と防護壁本体１を設定された位置に移動し固定させる為の補強金具チェーン１８の取り付け位置をしめしたものである。
【００１７】  また洪水が終息し、防護壁本体１を常時に戻す際、収納函２の残留水を排水口２１から吸水装置の為の管を挿入し排水操作をもって下降させ、もとの防護壁体制の状態にするものである。
【００１８】  図４は、防護壁本体１の上蓋横方向小口部６の断面図図１のＢ−Ｂと横方向を長くした場合の連結部の断面であり、施工やメンテナンスの時、上蓋４を取り外しワイヤー挿入口１１に小口部６の両側からワイヤーを通すことにより、昇降作業が重機械類を使用することなく手作業によって行うことが出来るもので、またこの部分は連結した場合も同様に上蓋４を取り付け取り外し、上蓋４と５を５と５に連結している接続バー７を利用し、小口部と連結部の取り付けビス受け口１０と小口部と連結部の取り付けビス９をもって一体化できるものである。
【００１９】  図５は、防護壁本体１の高さを最大限にあげる場合、合成樹脂中空ケース５を高さ方向連結材１９で積みあわせすることにより高さの調整が可能となる。
【００２０】  図８と図９は、防護壁本体１の上蓋４の補強金具チェーン受口１２に補強金具チェーン屋内側１７と屋外側１８とを接続した状態をしめしたもので、これらは、地下空間からの風圧と氾濫水等の水圧に対する補強を保持するものであり、また防護壁本体を設定された位置に固定化する役目をするものである。
【００２１】  図１０は、図６のＣ−Ｃ断面で敷設した地下設置水力浮上型防護壁の防護壁本体１と建物壁２４との隙間を５に取り付けられている小口漏水侵入止シート１４で侵入水を遮断しているところと、収納函２に取り付けてある防護壁本体浮上止アングル１６と防護壁本体１の５の突起部分とが掛かりあうようになっており、屋内側への水の吹き上げを防ぎ、さらに防護壁本体１がより以上浮上しないように高さ調整を行い、またそこに１４が水圧等に巻き込まれないように漏水シート止１５を取り付けている。これらは漏水侵入止対策として、設計と施工の精密さを必須とする重要な部分である。
【００２２】  符号８の機密材は、収納函２の先端部分に取り付けし防護壁本体１の上蓋４との緩衝材となり、雨や埃などの収納函２の中への侵入を防ぎ、また防護壁本体１の損傷等をも防ぎ、さらに通路の歩行等にも柔軟性を提供するものである。
【符号の説明】
【００２３】    Ａ    地下設置水力浮上型防護壁
１    防護壁本体１（４と５の複合体）
２    収納函
３    水注入管
４    上蓋（金属類及び軽量コンクリート）
５    合成樹脂中空ケース
６    上蓋横方向小口部
７    上蓋４と５の接続バー（小口と連結部分の）
８    機密材（２と４の）
９    連結部と小口部の取り付けビス
１０  連結部と小口部の取り付けビス受け口
１１  ワイヤー挿入口
１２  補助金具チェーン受け口
１３  連結部漏水侵入止めシート
１４  小口漏水侵入止シート
１５  漏水シート止
１６  防護壁本体浮上止アングル
１７  補助金具チェーン屋内側
１８  補助金具チェーン屋外側
１９  高さ方向連結材
２０  水
２１  排水口
２２  Ｇ  Ｌ
２３  床下
２４  建物壁（柱）
【図１】
2014066123.tif 000003
【図２】
2014066123.tif 000004
【図３】
2014066123.tif 000005
【図４】
2014066123.tif 000006
【図５】
2014066123.tif 000007
【図６】
2014066123.tif 000008
【図７】
2014066123.tif 000009
【図８】
2014066123.tif 000010
【図９】
2014066123.tif 000011
【図１０】
2014066123.tif 000012